(57)【要約】【課題】簡易に取付けてカーテンを吊上げ、室内を覗かれるような心配を無くし、外の景色を眺め、風通しや光の取入れを可能とし、更に、外観を損なわないカーテン吊上げ具を提供する。【解決手段】本発明によって提供されるカーテン吊上げ具１は、カーテン１０に簡易に取付けて開閉することができるカーテン吊上げ具１であって、フック部材３と一端で連結する少なくとも１つの昇降コード４が、他端で挟持部材２と連結するカーテン吊上げ具１である。【選択図】図５
2018164528.tif 000002
【特許請求の範囲】
【請求項１】
カーテンに取付けて開閉することができるカーテン吊上げ具において、
カーテン又はカーテン設置部材に引掛けることができるフック部材と、前記フック部材と一端で連結する少なくとも１つの昇降コードと、前記昇降コードの他端と連結する挟持部材とを備えるカーテン吊上げ具。
【請求項２】
前記昇降コードが複数に分岐することを特徴とする請求項１に記載のカーテン吊上げ具。
【請求項３】
前記フック部材が前記昇降コードの自動巻上げ機構を有することを特徴とする請求項１又は２に記載のカーテン吊上げ具。
【請求項４】
請求項１又は２に記載のカーテン吊上げ具において、
前記昇降コードに前記フック部材をスライド可能に設置し、前記昇降コードの端部にストッパーを設置し、前記ストッパーが前記挟持部材と前記フック部材間の前記昇降コードに固定及びスライド可能に連結していることを特徴とするカーテン吊上げ具。
【発明の詳細な説明】
【技術分野】
【０００１】
本発明は、簡易に取付けてカーテンを任意の箇所で部分的に開閉することができるカーテン吊上げ具に関する。
【背景技術】
【０００２】
一般的にカーテンは、左右両開きや片開き（このように横方向に開閉するものを縦型タイプという）のものが多く使用されている。このようなカーテンを使用している場合、外の景色を見たい、或いは風通しや光が欲しいといった場合、カーテンを開ける必要があるが、部屋の内部が他人に覗かれてしまうなどの心配があった。このような問題は、特に昨今の都市部における住宅では顕著である。
【０００３】
そのため、カーテンの下部を吊り上げて開くことができれば、そのような心配が解消する。例えば、登録実用新案公報第３００４４６８号（特許文献１）のように、すだれ（このように縦方向に開閉するものを横型タイプという）などを少し巻き上げて固定するというものや特開平１１−１２８０６３（特許文献２）のように、カーテンに紐を内装し、紐を引張るとカーテン下部が引き上がるというものは知られている。
【先行技術文献】
【特許文献】
【０００４】
【特許文献１】登録実用新案公報第３００４４６８号
【特許文献２】特開平１１−１２８０６３
【発明の概要】
【発明が解決しようとする課題】
【０００５】
しかしながら、上記の横型タイプに使用されるものは、すだれ等を紐で巻き上げて固定するものが多く、これらを縦型タイプのカーテンに利用することは難しい。また、紐が外から見えてしまうため外観がよくない。更に、カーテンを吊り上げるための紐等が内装されているカーテンでなくとも、簡易に取付けて吊上げることができる器具が望まれていた。
【０００６】
そこで、本発明の課題は、簡易に取付けてカーテンを任意の箇所で部分的に吊上げて、カーテンの一部を開閉できるようにすることで、室内を覗かれるような心配を無くし、外の景色を眺め、風通しや光の取入れを可能とし、更に、外観を損なわないカーテン吊上げ具を提供することにある。
【０００７】
本発明者は、上記課題を解決するために鋭意検討を重ねた。その結果、以下の発明を完成するに至った。
【０００８】
（１）  カーテンに取付けて開閉することができるカーテン吊上げ具において、カーテン又はカーテン設置部材に引掛けることができるフック部材と一端で連結する少なくとも１つの昇降コードが、他端で挟持部材と連結するカーテン吊上げ具。
（２）  昇降コードが複数に分岐することを特徴とする（１）に記載のカーテン吊上げ具。
（３）  フック部材に昇降コードの自動巻上機構を有する（１）又は（２）に記載のカーテン吊上げ具。
（４）  （１）又は（２）のカーテン吊上げ具において、昇降コードにフック部材をスライド可能に設置し、昇降コードの端部にはストッパーを設置し、ストッパーが挟持部材とフック部材間の昇降コードに固定及びスライドできるように取付けたことを特徴とするカーテン吊上げ具。
【発明の効果】
【０００９】
本発明のカーテン吊上げ具によれば、左右両開きや片開きのカーテンであっても、上方にカーテンを部分的に開くことができ、室内を覗かれるような心配を無くし、外の景色を眺め、風通しや光の取入れができる。また、カーテン吊上げ具は、簡易に設置することができ、カーテンの開き位置設定やその変更（調整）も簡単に行うことができる。
更に、本発明のカーテン吊上げ具を室内側に取付ければ、外からカーテン吊上げ具が見えないため、外観を損なうことがない。
【図面の簡単な説明】
【００１０】
【図１】本発明の実施形態１のカーテン吊上げ具の全体を説明するための図である。
【図２】（Ａ）は、図1に示すカーテン吊上げ具のフック部材の例を示す図であり、（Ｂ）（１）は、他のフック部材の例を示す図であり、（２）は、（１）のフック部材にチューブ状カバーを装着した例を示す図である。
【図３】昇降コードの自動巻上機構を有する挟持部材の例を説明するための図である。
【図４】（Ａ）は、図1に示すカーテン吊上げ具の挟持部材の例を示す図であり、（Ｂ）〜（Ｅ）は、それぞれ他の挟持部材の例を示す図である。
【図５】（Ａ）〜（Ｃ）は、図１に示すカーテン吊上げ具をカーテンに装着した状態を示す図である。
【図６】図１のカーテン吊上げ具の昇降コード４を途中から複数分岐させて、各々に挟持部材を連結しカーテンに装着した状態を示す図である。
【図７】本発明の実施形態２のカーテン吊上げ具の全体を説明するための図である。
【図８】（Ａ）は、ストッパーの例を説明するための図であり、（Ｂ）は、他のストッパーの例を説明するための図であり、（Ｃ）は、更に他のストッパーの例を説明するための図である。
【発明を実施するための形態】
【００１１】
[実施形態１]
図１〜５は、本発明のカーテン吊上げ具１の実施形態１を示す。実施形態１に係るカーテン吊上げ具１は、図１及び図５に示すように、フック部材３と、フック部材３と一端において連結する昇降コード４と、昇降コード４の他端と連結する挟持部材２とを備える。
【００１２】
実施形態１のフック部材３は、例えば、図２（Ａ）に示すように、上部が略Ｃ字形状の湾曲部３１１と、湾曲部３１１から下方に直線状に伸びる胴部３１２と、胴部３１２の下部から略楕円形状の環状部３１３と、環状部３１３により形成した孔３１４と、環状部３１４の端部を閉じずに形成した隙間３１５とを備えたもの３１がある。
なお、湾曲部３１１は、略Ｃ字形状に限らず、コの字形状や∧形状などカーテンの端部等に引掛けることができることができるものであれば様々な形状を採ることができる。また、胴部３１２は、直線状に限らず、円弧形状やらせん形状などであってもよい。加えて、環状部３１３は略楕円形状に限らず、円形状、多角形など孔３１４を形成することができる形状であればよい。
【００１３】
他の形態のフック部材３は、図２（Ｂ）（１）に示すような細長い渦巻き状のもの３２を挙げることができる。このフック部材３２は、渦巻きの外側端部が若干開いた状態となっている湾曲部３２１と、湾曲部３２１から渦巻き状に形成した胴部３２２と、渦巻き状胴部３２２の中心部に形成した孔３２４とを備える。また、図２（Ｂ）（２）に示すように、フック部材３２の渦巻き状胴部３２２にチューブ状カバー３２５を装着してもよく、本例の場合、フック部材３２が持ち易くなるめ、フック部材３２をカーテン等に引掛け易くなる。また、昇降コード４の動きが制限されるため、グラつかず安定する。
【００１４】
以上のようなフック部材３は、図３に示すように、昇降コード４の自動巻上機構３３０を備えたものであってもよく、例えば、本例のフック部材３３は、図２（Ａ）のフック部材３１の環状部３１３に代えて自動巻上げ機構３３０を設置したものである。自動巻上げ機構３３０は、モーター３３７とボビン３３３からなる。モーター３３７は、モーター本体３３１とこれに連結したモーター軸３３２とからなり、ボビン３３３は、筒部３３５と筒部３３５の両端に固定した円盤３３４、３３４と両円盤３３４、３３４の中央を貫通するボビン孔３３６とからなる。ボビン孔３３６にモーター軸３３２が挿嵌されており、モーター軸３３２が回転するとボビン３３３も連動して回転する。モーター３３７を動かすことにより、昇降コード４の巻上げ又は巻下げができ、カーテン１０の昇降ができる。また、モーター３３７はスイッチ（図示省略）等で使用可能であるが、スイッチはモーター３３７周辺に設置して手動で操作するほか、遠隔からも無線等で操作することが可能である。
【００１５】
挟持部材２は、図４（Ａ）に示すような目玉クリップ２１、図４（Ｂ）に示すような洗濯バサミ２２、図４（Ｃ）に示すようなターンクリップ２３などカーテン１０の一部を保持して吊上げることができる部材であれば、様々なものを利用することができる。
また、挟持部材２は、図４（Ｄ）に示すような昇降コード４に連結したマグネット２４１とカーテン１０の下端に設置した鉄などの磁性体２４２の組合せから構成した挟持部材２４とすることができる。なお、挟持部材２４は、磁性体２４２の替りにマグネット２４１を設置してマグネット２４１、２４１同士の組合せとすることもでき、更に、昇降コード４に磁性体２４２を設置し、カーテン１０にマグネット２４２を設置した組合せであってもよい。なお、磁性体２４２の設置は、磁性体２４２及びカーテン１０に穴をあけてネジで固定（図示省略）、接着剤で貼着、カーテン１０に内装、または布をあてて縫い付けてもよい。
また、挟持部材２は、図４（Ｅ）にマグネット２５２とマグネット２５１が紐２５３を介して連結して構成した挟持部材２５とすることもできる。なお、マグネット２５１、２５２の一方を磁性体２４２として構成してもよい。
【００１６】
フック部材３と昇降コード４の連結は、昇降コード４をフック部材３に結び付け、熱溶着又は接着剤を用いるなどして行う。例えば、図２(Ａ)のフック部材３１に対しては環状部３１３に上記方法により連結してもよいし、その他の部分に連結してもよい。図２(Ｂ)のフック部材３２に対しては、胴部３２２のいずれかの個所に連結すればよい。
また、挟持部材２と昇降コード４は、同様の方法で連結できる。例えば、図４(Ａ)の目玉クリップ２１の場合、軸２１３或いはスプリング２１４に連結することができるが、他の部分であってもよい。図４(Ｂ)の洗濯バサミ２２の場合、スプリング２２４に連結することができるが、他の部分であってもよい。図４（Ｃ）のターンクリップ２３の場合、背部５２４に連結することができるが、他の部分であってもよい。
【００１７】
カーテン吊上げ具１の使用方法は、図５（Ａ）に示すように、フック部材３をカーテンレール１１に装着したランナー（図示省略）、カーテンレール１１などのカーテンの設置に必要となる部材(以下、「カーテン設置部材」という)又はカーテン１０の上部の任意の個所に引掛ける。そして、カーテン１０をたくし上げながら下端部を挟持部材２で挟むことにより、カーテン１０を下方から任意の位置（高さ）まで部分的に開くことができる。なお、挟持部材２は、下端部に限らず他の部分、例えば、側端部に装着してもカーテン１０の下方を開くことができる。更に、カーテン吊上げ具１の使用方法は、図５（Ｂ）に示すように、片開きのカーテン１０の下端部のコーナーに挟持部材２を設置し、フック部材３を斜め上方に設置するとアーチ状にカーテン１０を開くことができる。同様に、図５（Ｃ）に示すように、左右両開きのカーテン１０についても、それぞれのカーテン１０の下端部のコーナーに挟持部材２を設置し、同様にフック部材３を設置すると更に意匠性の優れた開き方とすることができる。
また、図６に示すように、昇降コード４を途中から複数分岐させて、それぞれに挟持部材２を連結し、それぞれの挟持部材２をカーテン１１の適宜個所（図５（Ａ)〜（Ｃ）では、いずれも下端部）に装着すると、複数個所を同時に開くことができる。
【００１８】
[実施形態２]
図７に示すように、実施形態２のカーテン吊上げ具１は、前述した実施形態１のカーテン吊上げ具１において、昇降コード４にフック部材３をスライド可能に設置し、昇降コード4の端部にはストッパー５を設置して、ストッパー５が挟持部材２とフック部材３の間の昇降コード４に固定及びスライドできるように取付けた構成としたものである。
【００１９】
図８（Ａ）に示すように、ストッパー５１は、頭部５１１（ａ）と、頭部５１１（ａ）に固定している軸部５１１（ｂ）とから形成している雄ネジ５１１と、雄ネジ５１１に挿入することができる第一ワッシャー５１２（ａ）、第二ワッシャー５１２（ｂ）、第三ワッシャー５１２（ｃ）、第四ワッシャー５１２（ｄ）と、雄ネジ５１１に嵌合して締付けることができる雌ネジ５１４とを備え、本例では第二ワッシャー５１２（ｂ）の第二ワッシャー孔５１３（ｂ）に昇降コード４が挿通して形成している。
【００２０】
このように構成することにより、ストッパー５１の雄ネジ５１１と雌ネジ５１４を締めると、ストッパー５１は昇降コード４に固定され、緩めるとストッパー５１は昇降コード４上をスライドして移動することができる。
なお、ワッシャー５１２（ａ）・・・・は、図８（Ａ）に示すように4個を使用することができるが、昇降コード４を挿通することができるワッシャーが少なくとも１個あれば、ストッパー５１として機能する。
【００２１】
他の形態のストッパー５２としては、例えば、図４（Ｃ）、図８（Ｂ）（２）に示すようなターンクリップ２３が使用でき、クリップ本体５２１の挟持部５２５、５２５に昇降コード４を挿通すればよい。また、ターンクリップ２３と昇降コード４の材質によっては、昇降コード４が切断してしまうことがあり、このような場合には、挟持部５２５に図８（Ｂ）（１）に示すような側面に貫通孔５２８を有する弾性材製のチューブ５２６を、図８（Ｂ）（２）に示すようにターンクリップ２３の挟持部５２５に、チューブ５２６の貫通孔５２８がターンクリップ２３の外面に露出して挟持するように構成し、昇降コード４をチューブ５２６の開口部５２７から貫通孔５２８へ挿通させるようにすることもできる。あるいは、貫通孔５２８を設けずに、チューブ５２６の一方の開口部５２７から他方の開口部５２７に昇降コード４を挿通するだけでもよい。
【００２２】
このように構成することにより、ストッパー５２は昇降コード４に固定され、ストッパー５２の挟持部５２５の間隔を広げることによって、ストッパー５２は昇降コード４上をスライドして移動することができる。
【００２３】
更に、他の形態のストッパー５３は、例えば、図４（Ｂ）、図８（Ｃ）（２）に示すように、洗濯バサミ２２が使用でき、洗濯バサミ２２の挟持部５３５に昇降コード４を挿通すればよい。また、洗濯バサミ２２と昇降コード４の材質によっては、昇降コード４を十分にグリップできないことがあり、このような場合には、図８（Ｃ）（２）に示すように洗濯バサミ２２を弾性材性のチューブ圧縮カバー５２９で覆う事により、洗濯バサミ２２の挟持力を補うことができる。更には、図８（Ｃ）（１）に示すように、開口部５３７、５３７に直交するように、側面に対向する貫通孔５３８、５３８を有する弾性材性のチューブ５３６を、図８（Ｃ）（２）に示すように、洗濯バサミ２２の挟持部５３５にチューブ５３６の側面を挟持するように構成してもよい。昇降コード４は、チューブ５３６の貫通孔５３８、５３８へ挿通させる。
【００２４】
このように構成することにより、ストッパー５３は昇降コード４に固定され、ストッパー５３の挟持部５３５の間隔を広げることによって、ストッパー５３は昇降コード４上をスライドして移動することができる。
【００２５】
次に、図７に基づいて、実施形態２のカーテン吊上げ具１の使用方法を説明する。カーテン吊上げ具１を使用する際には、ストッパー５と昇降コード４がスライドしないように固定した状態とする。そして、フック部材３をランナー（図示省略）、カーテンレール１１、カーテン１０上部などに引掛け、挟持部材２をカーテン１０下端部などに取付ける。それから、ストッパー５をスライドできる状態にして、ストッパー５を摘まんで、下方へ移動させると昇降コード４、フック部材３を介して挟持部材２が上方へ移動するため、カーテン１０が吊り上がる。ストッパー５を上方へ移動させると昇降コード４、フック部材３を介して挟持部材２が下方へ移動するため、カーテン１０が下がる。適当な位置でストッパー５のネジを締めることで、カーテン１０を固定することができる。このようにすることで、簡易にカーテン１０の位置を調整することができる。
【００２６】
また、その他の実施形態としては、例えば、少しだけカーテン１０を吊上げたい場合やカーテンのサイズが大きいような場合には、カーテン吊上げ具１を使用するに際して昇降コード４が邪魔になる場合がある。そのような場合には、図４（Ｄ）に示すような挟持部材２４のみを使用してカーテン吊上げ具１を構成することができる。挟持部材２４のみを使用したカーテン１０の吊上げ方法としては、カーテン１０に設置した鉄などの磁性体２４２を所望の高さにたくし上げ、たくし上げたカーテンの面と反対の面にマグネット２４１を配置し、磁性体２４２とマグネット２４１がカーテン１０を挟んで磁力により固定するようにする。そうする事によって、簡易な構成により、カーテン１０を吊上げることができる。
なお、磁性体２４２は、カーテン１０の表面に設置してもよいし、カーテン１０に内装してもよい。また、未使用時には、磁性体２４２にマグネット２４１をつけておくと紛失防止となる。
【符号の説明】
【００２７】
１  カーテン吊上げ具
２、２４、２５    挟持部材
２１  目玉クリップ
２２  洗濯バサミ
２３  ターンクリップ
２１３  軸
２１４、２２４  スプリング
２１９  腕部
２４１、２５１、２５２  マグネット
２４２  磁性体
２５３  紐
３、３１、３２、３３    フック部材
３１１、３２１  湾曲部
３１２、３２２  胴部
３１３  環状部
３１４、３２４  孔
３１５  隙間
３２５  チューブ状カバー
３３０  自動巻上げ機構
３３１  モーター本体
３３２  モーター軸
３３３  ボビン
３３４  円盤
３３５  筒部
３３６  ボビン孔
３３７  モーター
４  昇降コード
５、５１、５２、５３  ストッパー  
５１１  雄ネジ  
５１１（ａ）  頭部
５１１（ｂ）  軸部
５１２（ａ）  第一ワッシャー
５１２（ｂ）  第二ワッシャー
５１２（ｃ）  第三ワッシャー
５１２（ｄ）  第四ワッシャー
５１３（ａ）  第一ワッシャー孔
５１３（ｂ）  第二ワッシャー孔
５１３（ｃ）  第三ワッシャー孔
５１３（ｄ）  第四ワッシャー孔
５１４  雌ネジ
５２１  本体
５２４  背部
５２５、５３５  挟持部
５２６、５３６  チューブ
５２７、５３７  開口部
５２８、５３８  貫通孔
５２９  チューブ状圧縮カバー
１０  カーテン
１１  カーテンレール
【図１】
2018164528.tif 000003
【図２】
2018164528.tif 000004
【図３】
2018164528.tif 000005
【図４】
2018164528.tif 000006
【図５】
2018164528.tif 000007
【図６】
2018164528.tif 000008
【図７】
2018164528.tif 000009
【図８】
2018164528.tif 000010